(57)【要約】【課題】録画再生装置において、外部記録媒体である光ディスクに無駄な空き容量が発生しないようにする。【解決手段】録画再生装置は、ある番組を光ディスクにダビングした後に、自動的に、その光ディスクの残容量領域に、シリーズもの以外の他の番組をダビングする。このとき、光ディスクの残容量を満たす番組がある場合には（＃５でＹＥＳ）、その番組をダビングする（＃６）。また、光ディスクの残容量を満たす番組がない場合には（＃５でＮＯ）、録画日時の古い順の複数の番組の合計容量が、容量が最も大きい番組の容量以上であれば（＃７でＹＥＳ）、録画日時の古い順の複数の番組をダビングし（＃８）、録画日時の古い順の複数の番組の合計容量が、容量が最も大きい番組の容量未満であれば（＃７でＮＯ）、容量が最も大きい番組をダビングする（＃９）。光ディスクの残容量が、それ以上ダビングできない容量になるまで、＃５〜＃９を繰り返す。【選択図】図３
2011114605.tif 000002
【特許請求の範囲】
【請求項１】
テレビジョン放送局から放送されるテレビジョン番組を録画し、録画したテレビジョン番組を再生する録画再生装置において、
テレビジョン放送局から放送されているテレビジョン番組を本装置に内蔵の内部記録媒体に録画する番組録画手段と、
前記内部記録媒体に録画されているテレビジョン番組を、本装置に装着／取外しされる外部記録媒体である光ディスクにダビングする番組ダビング手段とを備え、
前記番組ダビング手段は、前記内部記録媒体に録画されているテレビジョン番組を光ディスクにダビングした後に、その光ディスクに残容量があると、自動的に、その光ディスクの残容量領域に、前記内部記録媒体に録画されている、その光ディスクの残容量以下の容量の他のテレビジョン番組をダビングする自動追加ダビング手段を有し、
前記自動追加ダビング手段によりダビングされる他のテレビジョン番組は、シリーズもの以外のテレビジョン番組である、
ことを特徴とする録画再生装置。
【請求項２】
前記自動追加ダビング手段は、
光ディスクの残容量が、前記内部記録媒体に録画されている、シリーズもの以外の未だダビングしていない何れの番組の容量よりも小さくなるまで、未だダビングしていない前記他のテレビジョン番組をダビングする、
ことを特徴とする請求項１に記載の録画再生装置。
【発明の詳細な説明】
【技術分野】
【０００１】
本発明は、テレビジョン放送局から放送されるテレビジョン番組を録画し、録画したテレビジョン番組を再生する録画再生装置に関するものである。
【背景技術】
【０００２】
従来から、テレビジョン番組を録画し、録画したテレビジョン番組を再生する録画再生装置がある。このような録画再生装置は、テレビジョン番組を、録画再生装置に内蔵されている例えばハードディスクなどの内部記録媒体に録画するようになっている。また、このような録画再生装置において、内部記録媒体に録画したテレビジョン番組を、録画再生装置に装着／取外しされる外部記録媒体である光ディスクにダビングすることができるものがある。テレビジョン番組のダビングは、ユーザがメニュー操作（リモコンを用いて、メニュー画面を表示させ、メニュー画面上で番組やシリーズを選択し、ダビングの実行を指示する操作）をすることにより行われるようになっている。
【０００３】
一方、録画済データのデータ量に対応付けられる情報に基いて録画済データのファイルを検索する指示が利用者によって入力された場合、第２のデータ記録再生手段が記録可能なデータ量を下回る範囲で、録画済データのデータ量の多い順に、録画済データを第２のデータ記録再生装置に記録するようにした録画再生装置が知られている（例えば特許文献１参照）。また、利用者によりダビングを行いたい複数の番組が選択された場合、選択された複数の番組の総録画時間がダビング先の録画可能時間より短ければ、選択された複数の番組をダビングするようにした録画再生装置が知られている（例えば特許文献２参照）。また、映像データ及び音声データをハードディスクに記録するときに、単位記憶領域分よりも小さなデータが一時記憶手段に残った場合、意味のない詰め込み用のデータであるスタッフィングビットを一時記憶手段に書き込むようにした録画再生装置が知られている（例えば特許文献３参照）。
【先行技術文献】
【特許文献】
【０００４】
【特許文献１】特開２００５−１９６８３８号公報
【特許文献２】特開２００８−２７５６０号公報
【特許文献３】特開平１０−２１０４１４号公報
【発明の概要】
【発明が解決しようとする課題】
【０００５】
ところで、上述した従来の録画再生装置においては、内部記録媒体に録画したテレビジョン番組を光ディスクにダビングしたときに、光ディスクに残容量が生じることがあり、この光ディスクの残容量を使用せずに放置しておくと、光ディスクに無駄な空き容量が発生してしまう。そこで、テレビジョン番組を光ディスクにダビングしたときに、その光ディスクの残容量領域に他のテレビジョン番組をさらにダビングすることが考えられる。しかしながら、従来の録画再生装置においては、光ディスクの残容量領域に他の番組をさらにダビングするために、ユーザがメニュー操作を行う必要があり、ユーザにとって不便であった。なお、上述した特許文献１乃至特許文献３に開示の内容を適用したとしても、上記の問題を解決することはできない。
【０００６】
本発明は、上記課題を解決するためになされたものであり、外部記録媒体である光ディスクに無駄な空き容量が発生しないようにすることができる録画再生装置を提供することを目的とする。
【課題を解決するための手段】
【０００７】
上記目的を達成するために請求項１の発明は、テレビジョン放送局から放送されるテレビジョン番組を録画し、録画したテレビジョン番組を再生する録画再生装置において、テレビジョン放送局から放送されているテレビジョン番組を本装置に内蔵の内部記録媒体に録画する番組録画手段と、内部記録媒体に録画されているテレビジョン番組を、本装置に装着／取外しされる外部記録媒体である光ディスクにダビングする番組ダビング手段とを備え、番組ダビング手段は、内部記録媒体に録画されているテレビジョン番組を光ディスクにダビングした後に、その光ディスクに残容量があると、自動的に、その光ディスクの残容量領域に、内部記録媒体に録画されている、その光ディスクの残容量以下の容量の他のテレビジョン番組をダビングする自動追加ダビング手段を有し、自動追加ダビング手段によりダビングされる他のテレビジョン番組は、シリーズもの以外のテレビジョン番組であるものである。
【０００８】
請求項２の発明は、請求項１に記載の録画再生装置において、自動追加ダビング手段は、光ディスクの残容量が、内部記録媒体に録画されている、シリーズもの以外の未だダビングしていない何れの番組の容量よりも小さくなるまで、未だダビングしていない他のテレビジョン番組をダビングするものである。
【発明の効果】
【０００９】
請求項１の発明によれば、テレビジョン番組を光ディスクにダビングした後、自動的に、その光ディスクの残容量領域に、シリーズもの以外の他のテレビジョン番組がさらにダビングされる。従って、光ディスクに無駄な空き容量が発生しないようにすることができる。これにより、より少ない光ディスク数でより多くのテレビジョン番組をダビングすることができる。しかも、ユーザが操作することなく、光ディスクの残容量領域に他のテレビジョン番組をダビングすることができるため、ユーザにとって便利である。
【００１０】
請求項２の発明によれば、光ディスクの残容量が、シリーズもの以外の他のテレビジョン番組をそれ以上ダビングできない容量になるまで、光ディスクの残容量領域に、シリーズもの以外の他のテレビジョン番組がダビングされる。従って、より一層、光ディスクに無駄な空き容量が発生しないようにすることができる。
【図面の簡単な説明】
【００１１】
【図１】本発明の一実施形態に係る録画再生装置の概略構成を示す電気的ブロック構成図。
【図２】同録画再生装置の自動追加ダビング動作を示すフローチャート。
【図３】同録画再生装置の自動追加ダビング動作を示すフローチャート。
【発明を実施するための形態】
【００１２】
以下、本発明を具体化した実施形態による録画再生装置について図面を参照して説明する。図１は、本実施形態による録画再生装置の構成を示す。録画再生装置１は、テレビジョン放送局から放送されるテレビジョン番組を録画、録音し、録画、録音したテレビジョン番組を再生する装置である。録画再生装置１は、外部表示装置９０を接続して使用するようになっており、録画、録音したテレビジョン番組を、外部表示装置９０によって表示するようになっている。
【００１３】
この録画再生装置１は、ユーザによる操作を受けて、録画、録音したテレビジョン番組を外部記録媒体である光ディスク５０にダビング（コピー）することができるようになっている。また、この録画再生装置１は、テレビジョン番組を光ディスク５０にダビングした後に、自動的に、その光ディスク５０の残容量領域に、他のテレビジョン番組をダビングする機能（自動追加ダビング機能）を備えている。
【００１４】
録画再生装置１は、チューナ２と、エンコーダ３と、ＨＤＤ装置４と、光ディスクドライブ装置５と、デコーダ６と、ＯＳＤ処理部７と、リモコン８と、リモコン受信部９と、録画再生装置１の動作を制御する制御部（番組録画手段、番組ダビング手段、自動追加ダビング手段）１０等を備える。
【００１５】
チューナ２は、制御部１０による制御のもと、受信周波数がテレビジョン信号の放送チャンネルに対応する周波数に設定されることにより、その放送チャンネル（その周波数）のテレビジョン信号を受信する。テレビジョン信号には、映像信号（テレビジョン番組の映像信号）、音声信号（テレビジョン番組の音声信号）、情報信号（テレビジョン番組に関する情報を表わす信号）等が含まれている。テレビジョン番組に関する情報には、テレビジョン番組が複数回に亘って放送されるシリーズの番組であるか否かの情報、テレビジョン番組がシリーズの番組である場合に、第何回目の番組であるかの情報、シリーズを識別する情報、テレビジョン番組の放送日時等の各種情報が含まれている。
【００１６】
エンコーダ３は、チューナ２により受信したテレビジョン信号から、映像信号、音声信号、及び情報信号を分離、抽出し、それら分離、抽出した映像信号、音声信号、情報信号をエンコード処理して、映像データ、音声データ、情報データを生成する。
【００１７】
ＨＤＤ装置４は、内部記録媒体であるハードディスク４０を内蔵しており、制御部１０による制御のもと、エンコーダ３により生成された映像データ、音声データ、情報データ等を含む各種データをハードディスク４０に記録する。また、ＨＤＤ装置４は、制御部１０による制御のもと、ハードディスク４０に記録されている映像データ、音声データ、情報データ等を含む各種データを読出す。
【００１８】
光ディスクドライブ装置５は、外部記録媒体であるＤＶＤ、ＢＤ（ブルーレイディスク）等の光ディスク５０が装着／取外しされるようになっており、制御部１０による制御のもと、ＨＤＤ装置４によりハードディスク４０から読出された映像データ、音声データ、情報データ等を含む各種データを光ディスク５０に記録する。また、光ディスクドライブ装置５は、制御部１０による制御のもと、光ディスク５０に記録されている映像データ、音声データ、情報データ等を含む各種データを読出す。
【００１９】
デコーダ６は、制御部１０による制御のもと、エンコーダ３により生成された映像データ及び音声データ、ＨＤＤ装置４によりハードディスク４０から読出された映像データ及び音声データ、及び光ディスクドライブ装置５により光ディスク５０から読出された映像データ及び音声データをデコード処理して、映像信号及び音声信号を生成し、その映像信号及び音声信号を出力する。
【００２０】
ＯＳＤ処理部７は、制御部１０による制御のもと、メニュー画面等の各種映像をＯＳＤ表示するために、デコーダ６から出力された映像信号を加工処理し、その加工処理後の映像信号を出力する。また、ＯＳＤ処理部７は、制御部１０による制御のもと、デコーダ６から出力された映像信号を加工処理しないときには、デコーダ６により生成された映像信号をそのまま出力する。デコーダ６から出力された音声信号、及びＯＳＤ処理部７から出力された映像信号は、外部表示装置９０に供給される。
【００２１】
リモコン８は、テレビジョン信号の放送チャンネルの選択、テレビジョン番組の録画、録画した番組の再生、録画した番組のダビング等、録画再生装置１の各種動作を指示するためにユーザにより操作され、その操作内容を示す操作信号を送信する。リモコン受信部９は、リモコン８から送信された操作信号を受信して、リモコン８の操作内容を示すリモコン受信信号を出力する。
【００２２】
制御部１０は、リモコン受信部９から出力されるリモコン受信信号に基いて、ユーザによるリモコン８の操作内容を判断し、ユーザによるリモコン８の操作を受けて、録画再生装置１の各種動作を制御する。制御部１０は、録画再生装置１の動作を制御するためのプログラムや各種データを記憶しており、それらプログラムや各種データに基いて、録画再生装置１の各種動作を制御する。制御部１０は、録画再生装置１の各種動作として、番組録画動作、番組ダビング動作、番組再生動作、ＯＳＤ表示動作等の動作を制御する。
【００２３】
番組録画動作とは、テレビジョン放送局から放送されているテレビジョン番組をハードディスク４０に録画、録音する動作である。制御部１０は、テレビジョン放送局から放送されるテレビジョン信号をチューナ２により受信させ、エンコーダ３により生成された映像データ及び音声データをＨＤＤ装置４によりハードディスク４０に記録させることにより、番組録画動作を行う。これにより、テレビジョン放送局から放送されているテレビジョン番組の映像データ及び音声データがハードディスク４０に記録され、テレビジョン放送局から放送されているテレビジョン番組がハードディスク４０に録画、録音される。このとき、制御部１０は、ハードディスク４０に録画、録音した番組を管理するために、エンコーダ３により生成された情報データ及び録画、録音した番組の容量を示す容量データをＨＤＤ装置４によりハードディスク４０に記録させる。
【００２４】
番組ダビング動作とは、ハードディスク４０に録画、録音されているテレビジョン番組を光ディスク５０にダビング（コピーにより録画、録音）する動作である。制御部１０は、ハードディスク４０に録画、録音されているテレビジョン番組の映像データ及び音声データ（番組録画動作で記録された映像データ及び音声データ）をＨＤＤ装置４により読出させ、その読出された映像データ及び音声データを光ディスクドライブ装置５により光ディスク５０に記録させることにより、番組ダビング動作を行う。これにより、ハードディスク４０に録画、録音されているテレビジョン番組の映像データ及び音声データが光ディスク５０に記録され、ハードディスク４０に録画、録音されているテレビジョン番組が光ディスク５０にダビングされる。このとき、制御部１０は、光ディスク５０にダビングした番組を管理するために、ダビングした番組の情報データ及びダビングした番組の容量を示す容量データを光ディスクドライブ装置５により光ディスク５０に記録させる。
【００２５】
番組再生動作とは、ハードディスク４０又は光ディスク５０に録画、録音されているテレビジョン番組を外部表示装置９０によって視聴可能に再生する動作である。制御部１０は、ハードディスク４０に記録されている映像データ及び音声データ（番組録画動作で記録された映像データ及び音声データ）をＨＤＤ装置４により読出させ、又は、光ディスク５０に記録されている映像データ及び音声データ（番組ダビング動作で記録された映像データ及び音声データ）を光ディスクドライブ装置５により読出させ、その読出された映像データ及び音声データをデコーダ６によりデコード処理させることにより、番組再生動作を行う。これにより、ハードディスク４０又は光ディスク５０に録画、録音されているテレビジョン番組の映像信号及び音声信号が外部表示装置９０に供給され、ハードディスク４０又は光ディスク５０に録画、録音されているテレビジョン番組が外部表示装置９０によって視聴可能に再生される。
【００２６】
ＯＳＤ表示動作とは、メニュー画面等の各種映像を外部表示装置９０によってＯＳＤ表示する動作である。制御部１０は、メニュー画面等の各種映像をＯＳＤ表示するように、デコーダ６から出力された映像信号をＯＳＤ処理部７により加工処理させることにより、メニュー表示動作を行う。これにより、ＯＳＤ処理部７により加工処理された映像信号が外部表示装置９０に供給され、メニュー画面等の各種映像が外部表示装置９０のディスプレイ９１にＯＳＤ表示される。
【００２７】
上記番組ダビング動作には、ユーザの操作による個別ダビング動作、ユーザの操作によるシリーズ一括ダビング動作、自動追加ダビング動作等があり、制御部１０は、上記番組ダビング動作として、これらユーザの操作による個別ダビング動作、シリーズ一括ダビング動作、自動追加ダビング動作等を行う。
【００２８】
ユーザの操作による個別ダビング動作とは、ユーザにより個別に選択された番組（タイトル）をダビングする動作である。ユーザの操作によるシリーズ一括ダビング動作とは、ユーザにより選択されたシリーズの全ての番組を一括してダビングする動作である。ユーザの操作による個別ダビング動作、及びユーザの操作によるシリーズ一括ダビング動作は、ユーザがメニュー操作（リモコン８を用いて、メニュー画面を表示させ、メニュー画面上で番組やシリーズを選択し、ダビングの実行を指示する操作）をすることにより行われる。すなわち、制御部１０は、ユーザによるリモコン８の操作（メニュー操作）を受けて、ユーザの操作による個別ダビング動作、及びユーザの操作によるシリーズ一括ダビング動作を実行し、ユーザにより個別に選択された番組、及びユーザにより選択されたシリーズの全ての番組を一括してダビングする。
【００２９】
自動追加ダビング動作とは、光ディスク５０に番組をダビングした後に、その光ディスク５０に残容量があると、自動的に、その光ディスク５０の残容量領域に、他の番組をダビングする動作である。本実施形態では、自動追加ダビング動作は、ユーザにより個別に選択された番組をダビングした後に行い、自動追加ダビング動作によりダビングする他の番組は、シリーズもの以外の番組であって、その光ディスク５０の残容量以下の容量の番組を対象としている。なお、自動追加ダビング動作は、自動追加ダビング動作の設定がオンに設定されているときに行われ、自動追加ダビング動作の設定がオフに設定されているときには行われないようになっている。
【００３０】
すなわち、制御部１０は、ハードディスク４０に録画されている番組のうち、ユーザにより個別に選択された番組をダビングした後に、自動追加ダビング動作の設定がオンに設定されていて、その光ディスク５０に残容量があり、かつ、ハードディスク４０に光ディスク５０の残容量以下の容量のシリーズもの以外の他の番組が録画されている場合に、自動的に、自動追加ダビング動作を実行する。そして、制御部１０は、自動追加ダビング動作において、その光ディスク５０の残容量領域に、ハードディスク４０に録画されている、光ディスク５０の残容量以下の容量のシリーズもの以外の他の番組をダビングする。また、制御部１０は、自動追加ダビング動作において、光ディスク５０の残容量が、ハードディスク４０に録画されている、シリーズもの以外の未だダビングしていない何れの番組の容量よりも小さくなるまで（すなわち、シリーズもの以外の未だダビングしていない番組をそれ以上ダビングできない容量になるまで）、未だダビングしていないシリーズもの以外の他の番組をダビングする。なお、自動追加ダビング動作のオン／オフの設定は、ユーザがリモコン８を操作することにより行われる。
【００３１】
図２、図３は、上記録画再生装置１の自動追加ダビング動作のフローチャートを示す。ユーザにより個別に選択された番組を光ディスク５０にダビングし終えたとき（すなわち、ユーザの操作による個別ダビング動作を終えたとき）、シリーズ自動追加ダビング動作の設定がオンに設定されていて（＃１でＹＥＳ）、光ディスク５０に残容量があれば（＃２でＹＥＳ）、制御部１０は、ハードディスク４０に録画されている番組の中から、光ディスク５０の残容量以下の容量のシリーズもの以外の他の（未だダビングしていない）番組を検索する（＃３）。
【００３２】
＃３の検索の結果、ハードディスク４０に、光ディスク５０の残容量以下の容量のシリーズもの以外の他の番組が録画されていれば（＃４でＹＥＳ）、制御部１０は、それら光ディスク５０の残容量以下の容量のシリーズもの以外の他の番組の中に、光ディスク５０の残容量を満たす番組があるか否かを判断する（＃５）。
【００３３】
ここで、「光ディスク５０の残容量を満たす番組」とは、その番組をダビングした後の光ディスク５０の残容量が、予め設定された最小容量以下になる番組のことである。すなわち、例えば、光ディスク５０の残容量をＸｏとし、予め設定された最小容量をＸｍｉｎとすると、容量がＸｏ−ＸｍｉｎからＸｏの範囲の番組のことである。なお、最小容量とは、光ディスク５０の残容量領域に、それ以上ダビングできるか否かを判断するための閾値となる容量である。最小容量は、制御部１０によって設定され、制御部１０は、ハードディスク４０に番組を録画する都度、それまでにハードディスク４０に録画した各番組の容量のうちで、最も小さい容量を最小容量に設定する。
【００３４】
そして、光ディスク５０の残容量以下の容量のシリーズもの以外の他の番組（＃３で検索した番組）の中に、光ディスク５０の残容量を満たす番組があれば（＃５でＹＥＳ）、制御部１０は、光ディスク５０の残容量を満たす番組を光ディスク５０の残容量領域にダビングする（＃６）。
【００３５】
すなわち、光ディスク５０の残容量以下の容量のシリーズもの以外の他の番組として、例えば、録画日時（放送日時）の古い順に、番組Ｔ１、Ｔ２、Ｔ３、Ｔ４、Ｔ５、Ｔ６、Ｔ７、Ｔ８、・・・の複数の番組が録画されていて、それらのうち、「光ディスク５０の残容量を満たす番組」が番組Ｔ７であったとすると、＃６の処理において、制御部１０は、番組Ｔ７をダビングする。但し、光ディスク５０の残容量以下の容量のシリーズもの以外の他の番組の中に、光ディスク５０の残容量を満たす番組が複数ある場合には、制御部１０は、録画日時の古い方の番組をダビングする。
【００３６】
＃６の処理を行った後は、光ディスク５０の残容量が、最小容量以下になっている。従って、＃６の処理を行った後、制御部１０は、それ以上、光ディスク５０の残容量領域に番組をダビングすることができないと判断して、自動追加ダビング動作を終了する。
【００３７】
一方、光ディスク５０の残容量以下の容量のシリーズもの以外の他の番組（＃３で検索した番組）の中に、光ディスク５０の残容量を満たす番組がなければ（＃５でＮＯ）、制御部１０は、光ディスク５０の残容量以下の容量のシリーズもの以外の他の番組のうちの、光ディスク５０の残容量を超えない範囲における、録画日時の古い順の複数の番組の合計容量が、光ディスク５０の残容量以下の容量のシリーズもの以外の他の番組のうちの、容量が最も大きい番組の容量以上であるか否かを判断する（＃７）。
【００３８】
ここで、「光ディスク５０の残容量以下の容量のシリーズもの以外の他の番組のうちの、光ディスク５０の残容量を超えない範囲における、録画日時の古い順の複数の番組」とは、光ディスク５０の残容量以下の容量のシリーズもの以外の他の番組として、例えば、録画日時（放送日時）の古い順に、番組Ｔ１、Ｔ２、Ｔ３、Ｔ４、Ｔ５、Ｔ６、Ｔ７、Ｔ８、・・・の複数の番組が録画されていて、番組Ｔ１と番組Ｔ２の合計容量では光ディスク５０の残容量を超えず、番組Ｔ１と番組Ｔ２と番組Ｔ３の合計容量では光ディスク５０の残容量を超えるとすると、番組Ｔ１と番組Ｔ２のことである。この場合において、「光ディスク５０の残容量以下の容量のシリーズもの以外の他の番組のうちの、容量が最も大きい番組」が番組Ｔ５であるとすると、＃７の処理において、制御部１０は、番組Ｔ１と番組Ｔ２の合計容量が、番組Ｔ５の容量以上であるか否かを判断する。
【００３９】
そして、光ディスク５０の残容量以下の容量のシリーズもの以外の他の番組のうちの、光ディスク５０の残容量を超えない範囲における、録画日時の古い順の複数の番組の合計容量が、光ディスク５０の残容量以下の容量のシリーズもの以外の他の番組のうちの、容量が最も大きい番組の容量以上であれば（＃７でＹＥＳ）、制御部１０は、光ディスク５０の残容量以下の容量のシリーズもの以外の他の番組のうちの、光ディスク５０の残容量を超えない範囲における、録画日時の古い順の複数の番組を光ディスク５０の残容量領域にダビングする（＃８）。
【００４０】
すなわち、光ディスク５０の残容量以下の容量のシリーズもの以外の他の番組として、例えば、録画日時（放送日時）の古い順に、番組Ｔ１、Ｔ２、Ｔ３、Ｔ４、Ｔ５、Ｔ６、Ｔ７、Ｔ８、・・・の複数の番組が録画されていて、それらのうち、「容量が最も大きい番組」が番組Ｔ５であり、「光ディスク５０の残容量を超えない範囲における、録画日時の古い順の複数の番組」が番組Ｔ１と番組Ｔ２であり、番組Ｔ１と番組Ｔ２の合計容量が、番組Ｔ５の容量以上であるとすると、＃８の処理において、制御部１０は、番組Ｔ１と番組Ｔ２をダビングする。
【００４１】
一方、光ディスク５０の残容量以下の容量のシリーズもの以外の他の番組のうちの、光ディスク５０の残容量を超えない範囲における、録画日時の古い順の複数の番組の合計容量が、光ディスク５０の残容量以下の容量のシリーズもの以外の他の番組のうちの、容量が最も大きい番組の容量未満であれば（＃７でＮＯ）、制御部１０は、光ディスク５０の残容量以下の容量のシリーズもの以外の他の番組のうちの、容量が最も大きい番組を光ディスク５０の残容量領域にダビングする（＃９）。
【００４２】
すなわち、光ディスク５０の残容量以下の容量のシリーズもの以外の他の番組として、例えば、録画日時（放送日時）の古い順に、番組Ｔ１、Ｔ２、Ｔ３、Ｔ４、Ｔ５、Ｔ６、Ｔ７、Ｔ８、・・・の複数の番組が録画されていて、それらのうち、「容量が最も大きい番組」が番組Ｔ５であり、「光ディスク５０の残容量を超えない範囲における、録画日時の古い順の複数の番組」が番組Ｔ１と番組Ｔ２であり、番組Ｔ１と番組Ｔ２の合計容量が、番組Ｔ５の容量未満であるとすると、＃９の処理において、制御部１０は、番組Ｔ５をダビングする。
【００４３】
＃８の処理を行った後は、光ディスク５０の残容量が、最小容量以下になっていない場合がある。また、＃９の処理を行った後は、光ディスク５０の残容量が、最小容量以下になっていない。すなわち、＃８の処理又は＃９の処理を行った後は、光ディスク５０の残容量が、ハードディスク４０に録画されている、シリーズもの以外の未だダビングしていない何れかの番組の容量以上である（つまり、光ディスク５０の残容量が、シリーズもの以外の他の番組をさらにダビングすることができる容量である）場合がある。従って、＃８の処理又は＃９の処理を行った後、制御部１０は、さらに、光ディスク５０の残容量領域に番組をダビングすることができる可能性があると判断して、上記＃２以降の処理を繰り返す。
【００４４】
上記＃４において、ハードディスク４０に、光ディスク５０の残容量以下の容量のシリーズもの以外の他の番組が録画されていなければ（すなわち、光ディスク５０の残容量が、ハードディスク４０に録画されている、シリーズもの以外の未だダビングしていない何れの番組の容量よりも小さければ）（＃４でＮＯ）、制御部１０は、その時点において、光ディスク５０の残容量領域に番組をダビングすることができないと判断して、自動追加ダビング動作を終了する。
【００４５】
制御部１０は、上記＃２以降の処理を繰り返すことにより、光ディスク５０の残容量が、ハードディスク４０に録画されている、シリーズもの以外の未だダビングしていない何れの番組の容量よりも小さくなるまで（すなわち、光ディスク５０の残容量が、シリーズもの以外の他の番組をそれ以上ダビングすることができない容量になる（＃６の処理を行って、光ディスク５０の残容量が、最小容量以下になる場合も含まれる）まで）、光ディスク５０の残容量領域に、未だダビングしていないシリーズもの以外の他の番組をダビングすることになる。
【００４６】
なお、＃４でＮＯとなって、自動追加ダビング動作を終了した場合には、光ディスク５０の残容量が、最小容量以下にはなっていない場合がある。従って、＃４でＮＯとなって、自動追加ダビング動作を終了した場合に、光ディスク５０の残容量が、最小容量以下になっていなければ、制御部１０は、その後、光ディスク５０の残容量以下の容量のシリーズもの以外の番組がハードディスク４０に録画されたときに、自動的に、その録画された番組を光ディスク５０の残容量領域にダビングする。
【００４７】
このような構成の録画再生装置１によれば、ユーザにより個別に選択された番組を光ディスク５０にダビングした後、自動的に、その光ディスク５０の残容量領域に、シリーズもの以外の他のテレビジョン番組がさらにダビングされる。従って、光ディスク５０に無駄な空き容量が発生しないようにすることができる。これにより、より少ない光ディスク５０の枚数でより多くのテレビジョン番組をダビングすることができる。しかも、ユーザが操作することなく、光ディスク５０の残容量領域に他のテレビジョン番組をダビングすることができるため、ユーザにとって便利である。
【００４８】
しかも、光ディスク５０の残容量が、シリーズもの以外の他のテレビジョン番組をそれ以上ダビングできない容量になるまで、光ディスク５０の残容量領域に、シリーズもの以外の他のテレビジョン番組がダビングされる。従って、より一層、光ディスク５０に無駄な空き容量が発生しないようにすることができる。
【００４９】
なお、本発明は、上記実施形態の構成に限られず、種々の変形が可能である。例えば、自動追加ダビング動作は、ユーザにより個別に選択された番組をダビングした後に限られず、ユーザにより選択されたシリーズの番組を一括してダビングした後に行ってもよい。また、自動追加ダビング動作によって番組を自動的にダビングするときに、ユーザに対してメッセージ（光ディスクの残容量領域に他の番組をダビングしてもよいか否かの確認メッセージや、ダビングする番組の確認メッセージ等）をＯＳＤ表示するようにしてもよい。
【符号の説明】
【００５０】
１    録画再生装置
２    チューナ
３    エンコーダ
４    ＨＤＤ装置
５    光ディスクドライブ装置
６    デコーダ
７    ＯＳＤ処理部
８    リモコン
９    リモコン受信部
１０    制御部（番組録画手段、番組ダビング手段、自動追加ダビング手段）
４０    ハードディスク（内部記録媒体）
５０    光ディスク
９０    外部表示装置
９１    ディスプレイ
９２    スピーカ
【図１】
2011114605.tif 000003
【図２】
2011114605.tif 000004
【図３】
2011114605.tif 000005